(57)【特許請求の範囲】
【請求項１】
先端開口から泡を排出するペン型玩具であって、
前記ペン型玩具の表面に配置された押スイッチと、
前記押スイッチが操作されたときに作動する空気供給部と、
泡生成用液を貯留する液貯留部と、
前記ペン型玩具の先端内部に配置されたフィルタ部と、
前記空気供給部から前記液貯留部へと空気を導入するための第１パイプと、
前記液貯留部から前記フィルタ部へと泡生成用液を導入するための第２パイプと、
前記空気供給部から前記フィルタ部へと空気を導入するための第３パイプと、
を備え、
前記押スイッチが操作されると、前記フィルタ部に空気と泡生成用液とが供給され、空気と泡生成用液とが前記フィルタ部を通過することで混合されて泡が生成され、先端開口から泡が排出されるようにしたことを特徴とする、ペン型玩具。
【請求項２】
前記液貯留部は、前記ペン型玩具の本体に着脱可能であることを特徴とする、請求項１記載のペン型玩具。
【請求項３】
前記液貯留部の内部には、前記第２パイプと連通する液送出口が開口しており、
前記液送出口が開口する前記液貯留部の内壁面は、前記ペン型玩具の長手方向に対して傾斜していることを特徴とする、請求項１又は２記載のペン型玩具。
【請求項４】
前記先端開口にアタッチメントを取り付け可能とし、
前記アタッチメントは、前記先端開口に連通する複数の泡吹出口を備えることを特徴とする、請求項１〜３のいずれか１項に記載のペン型玩具。
【請求項５】
前記第２パイプを流れる泡生成用液の量を調整するための調整バルブを設けたことを特徴とする、請求項１〜４のいずれか１項に記載のペン型玩具。
【発明の詳細な説明】
【技術分野】
【０００１】
この発明は、先端開口から泡を排出し、泡を使って絵や造形を楽しむことができるペン型玩具に関する。
【背景技術】
【０００２】
この種の玩具として、例えば特許文献１には、加圧手段で加圧された空気を容器体の泡発生用液中に導入し、この加圧された空気を気泡化して泡発生用液内に拡散させると共に、気泡化した加圧空気が前記泡発生用液内に拡散されることにより発生する泡を外部へ導入するようにした玩具が開示されている。この玩具によれば、泡によるお絵かきや落書きを楽しむことができるとされている。
【先行技術文献】
【特許文献】
【０００３】
【特許文献１】実用新案登録第３０１８６０１号公報
【発明の概要】
【発明が解決しようとする課題】
【０００４】
しかし、上記した特許文献１記載の玩具では、泡発生用液を貯留する容器体は、泡を発生させるための空間でもあるため、この容器体の容積を大きくする必要があった。しかしながら、容器体の容積を大きくすると玩具が大きくなって取り回しが不便になり、自由に絵や造形を楽しむことができないという問題があった。
【０００５】
また、上記した特許文献１記載の構造では、加圧された空気を泡発生用液内に拡散させることで泡を発生させているため、きめの細かい泡を作ることが困難であり、泡がすぐに潰れてしまうので、絵や造形を十分に楽しむことができなかった。
そこで、本発明は、小型で取り回しに優れ、きめの細かい泡を作ることができるペン型玩具を提供することを課題とする。
【課題を解決するための手段】
【０００６】
本発明は、上記した課題を解決するためになされたものであり、以下を特徴とする。
【０００７】
請求項１記載の発明は、先端開口から泡を排出するペン型玩具であって、前記ペン型玩具の表面に配置された押スイッチと、前記押スイッチが操作されたときに作動する空気供給部と、泡生成用液を貯留する液貯留部と、前記ペン型玩具の先端内部に配置されたフィルタ部と、前記空気供給部から前記液貯留部へと空気を導入するための第１パイプと、前記液貯留部から前記フィルタ部へと泡生成用液を導入するための第２パイプと、前記空気供給部から前記フィルタ部へと空気を導入するための第３パイプと、を備え、前記押スイッチが操作されると、前記フィルタ部に空気と泡生成用液とが供給され、空気と泡生成用液とが前記フィルタ部を通過することで混合されて泡が生成され、先端開口から泡が排出されるようにしたことを特徴とする。
【０００８】
請求項２に記載の発明は、上記した請求項１に記載の発明の特徴点に加え、前記液貯留部は、前記ペン型玩具の本体に着脱可能であることを特徴とする。
【０００９】
請求項３に記載の発明は、上記した請求項１又は２に記載の発明の特徴点に加え、前記液貯留部の内部には、前記第２パイプと連通する液送出口が開口しており、前記液送出口が開口する前記液貯留部の内壁面は、前記ペン型玩具の長手方向に対して傾斜していることを特徴とする。
【００１０】
請求項４に記載の発明は、上記した請求項１〜３のいずれかに記載の発明の特徴点に加え、前記先端開口にアタッチメントを取り付け可能とし、前記アタッチメントは、前記先端開口に連通する複数の泡吹出口を備えることを特徴とする。
【００１１】
請求項５に記載の発明は、上記した請求項１〜４のいずれかに記載の発明の特徴点に加え、前記第２パイプを流れる泡生成用液の量を調整するための調整バルブを設けたことを特徴とする。
【発明の効果】
【００１２】
請求項１に記載の発明は上記の通りであり、押スイッチが操作されると、フィルタ部に空気と泡生成用液とが供給され、空気と泡生成用液とが前記フィルタ部を通過することで混合されて泡が生成され、先端開口から泡が排出されるようにした。このような構成によれば、泡生成用液を貯留している液貯留部において泡を生成するわけではないので、液貯留部の容積を大きくする必要がない。よって、小型で取り回しに優れた玩具とすることができる。しかも、玩具をペン型にしたので、指先を使用した細かな描画も可能となり、絵や造形を自由に楽しむことができる。
【００１３】
また、空気と泡生成用液とをフィルタ部で混合させて泡を生成しているので、フィルタによってきめの細かい泡を生成することができる。きめの細かい泡を生成することで、泡が潰れにくくなり、絵や造形を十分に楽しむことができる。
【００１４】
また、請求項２に記載の発明は上記の通りであり、前記液貯留部は、前記ペン型玩具の本体に着脱可能である。このような構成によれば、泡生成用液がなくなっても容易に補給することができ、連続使用が可能となる。また、異なる色を付けた泡生成用液をそれぞれ異なる液貯留部に充填し、これらの液貯留部を付け替えながら使用するようにすれば、様々な色の泡を組み合わせて絵や造形を楽しむことができる。このように泡の色を変化させれば、絵や造形のバリエーションが増えるので、ペン型玩具の楽しさが倍増する。
【００１５】
また、請求項３に記載の発明は上記の通りであり、前記液貯留部の内部には、第２パイプと連通する液送出口が開口しており、前記液送出口が開口する前記液貯留部の内壁面は、前記ペン型玩具の長手方向に対して傾斜している。このような構成によれば、斜めにペン型玩具を持ったときに、内壁面が液貯留部の下面を形成するような位置関係となる。このため、泡生成用液が残り少ない場合でも、この残り少ない泡生成用液が重力によって内壁面側に流れる。泡生成用液が内壁面側に流れることで、泡生成用液を無駄なく液送出口に送り込むことができる。
【００１６】
また、請求項４に記載の発明は上記の通りであり、先端開口にアタッチメントを取り付け可能とし、前記アタッチメントは、前記先端開口に連通する複数の泡吹出口を備える。このような構成によれば、泡を生成したときに複数の泡吹出口から同時に泡が排出される。複数の泡吹出口を図柄の形に配置すれば、これら複数の泡吹出口から同時に排出された泡で容易に図柄を描くことができる。例えば、泡でスタンプを押すような遊び方が可能となる。
【００１７】
また、請求項５に記載の発明は上記の通りであり、前記第２パイプを流れる泡生成用液の量を調整するための調整バルブを設けた。このような構成によれば、泡生成用液の量を調整することで、泡の細かさを調整することができる。
【図面の簡単な説明】
【００１８】
【図１】ペン型玩具の（ａ）側面図、（ｂ）内部構造を示す斜視図である。
【図２】ペン型玩具の内部構造を示す側面図である。
【図３】空気や泡生成用液の流れを示す説明図である。
【図４】ペン型玩具の使用状態を示す説明図である。
【図５】液貯留部を取り外した状態を示す図であって、（ａ）ペン型玩具を斜め前から見た内部構造を示す斜視図、（ｂ）ペン型玩具を斜め後ろから見た斜視図である。
【図６】液貯留部に泡生成用液を充填する様子を示す図である。
【図７】（ａ）アタッチメントを取り外した状態を示す図、（ｂ）スタンプ型アタッチメントを取り付けた状態を示す図である。
【図８】スタンプ型アタッチメントの（ａ）斜視図、（ｂ）平面図、（ｃ）側面図、（ｄ）正面図である。
【図９】（ａ）スタンプ型アタッチメントの底面図、（ｂ）変形例１に係るスタンプ型アタッチメントの底面図、（ｃ）変形例２に係るスタンプ型アタッチメントの底面図、（ｄ）変形例３に係るスタンプ型アタッチメントの底面図である。
【図１０】（ａ）スタンプ型アタッチメントを使用したときの泡の形状を示す図、（ｂ）変形例１に係るスタンプ型アタッチメントを使用したときの泡の形状を示す図、（ｃ）変形例２に係るスタンプ型アタッチメントを使用したときの泡の形状を示す図、（ｄ）変形例３に係るスタンプ型アタッチメントを使用したときの泡の形状を示す図である。
【発明を実施するための形態】
【００１９】
本発明の実施形態について、図を参照しながら説明する。
【００２０】
本実施形態に係るペン型玩具１０は、先端開口１３ａから泡を排出し、泡を使って絵や造形を楽しむことができるようにしたものであり、図１に示すようなペン型となっている。このペン型玩具１０は、本体１１と、本体１１の後部に着脱可能に取り付けられた液貯留部４０と、を備える。
【００２１】
本体１１は、ペンのように持つことができる長細の胴体部１２と、胴体部１２の先端から突出した筒状のノーズ部１３と、を備える。胴体部１２の表面には、押スイッチ１８が配置されている。また、胴体部１２の内部には、空気供給部２０と、フィルタ部２５と、電池２６と、第１パイプ２７と、第２パイプ２８と、第３パイプ２９と、調整バルブ３０と、液だれ防止弁３５と、が内蔵されている。
【００２２】
押スイッチ１８は、図１に示すように、胴体部１２をペンのように持ったときに、人差し指が位置する場所に操作可能に設けられている。この押スイッチ１８は、指で押下可能となっており、後述する空気供給部２０の作動をオン・オフするためのスイッチである。この押スイッチ１８が押下されている間は空気供給部２０に電力が供給され、空気供給部２０が作動する。
【００２３】
この押スイッチ１８は、バネによって常に突出方向へ付勢されており、押し操作されていない状態では、バネの力で突出状態を維持するように構成されている。この押スイッチ１８が押し操作されると、バネの付勢力に抗して所定の位置まで押し下げられる。また、押スイッチ１８の押し操作を解除すると、押スイッチ１８はバネの力で自然に突出状態に復帰する。
【００２４】
空気供給部２０は、押スイッチ１８が操作されたときに作動する機構であり、外部から取り込んだ空気を後述するフィルタ部２５及び液貯留部４０に供給するためのものである。この空気供給部２０は、図２に示すように、電池２６で駆動するモータ２１と、モータ２１によって作動するコンプレッサ２２と、を備える。押スイッチ１８が操作されると、電池２６からモータ２１へと電力が供給され、モータ２１が駆動を開始する。このモータ２１の駆動力はコンプレッサ２２に伝達され、コンプレッサ２２はピストン運動により空気を圧縮する。圧縮された空気は後述する第１パイプ２７及び第３パイプ２９を通って、フィルタ部２５及び液貯留部４０に供給される。
【００２５】
フィルタ部２５は、図２に示すように、ペン型玩具１０の先端内部に配置されている。詳しくは後述するが、押スイッチ１８が操作されて空気供給部２０が作動すると、このフィルタ部２５には空気と泡生成用液Ｌとが供給される。フィルタ部２５に供給された空気と泡生成用液Ｌとは、フィルタ部２５において混合される。また、このフィルタ部２５は、多層メッシュ２５ａを備えており、空気と泡生成用液Ｌとの混合体が多層メッシュ２５ａを通過することで更に混じり合う。このように空気と泡生成用液Ｌとがフィルタ部２５を通過することで、空気が泡生成用液Ｌ内に拡散されて泡が生成される。
【００２６】
第１パイプ２７は、図２及び図３に示すように、空気供給部２０と液貯留部４０とを繋ぐパイプであり、空気供給部２０から液貯留部４０へと空気を導入するためのものである。
【００２７】
第２パイプ２８は、図２及び図３に示すように、液貯留部４０とフィルタ部２５とを繋ぐパイプであり、液貯留部４０からフィルタ部２５へと泡生成用液Ｌを導入するためのものである。
【００２８】
第３パイプ２９は、図２及び図３に示すように、空気供給部２０とフィルタ部２５とを繋ぐパイプであり、空気供給部２０からフィルタ部２５へと空気を導入するためのものである。
【００２９】
調整バルブ３０は、第２パイプ２８を流れる泡生成用液Ｌの量を調整するためのものである。この調整バルブ３０は、胴体部１２の側部に操作可能に設けられた操作部３１を備える。この操作部３１を摘まんで回転操作すると、調整バルブ３０が開閉され、泡生成用液Ｌの流量を調整できるようになっている。なお、泡生成用液Ｌの量を多くすれば泡のきめが細かくなるが、泡生成用液Ｌの量を多くし過ぎると泡立ちが悪くなる。また、泡生成用液Ｌの濃さ等によっても泡の細かさや泡立ち易さも異なる。本実施形態によれば、調整バルブ３０を使用して泡生成用液Ｌの流量を調整することで、きめの細かい泡を容易に生成することができる。
【００３０】
液だれ防止弁３５は、第２パイプ２８の中途部に設けられる。この液だれ防止弁３５は、液貯留部４０からフィルタ部２５への流路を開閉することで、泡生成用液Ｌの液だれを防止するためのものである。この液だれ防止弁３５は、押スイッチ１８の操作に連動して作動する弁体３５ａを備える。弁体３５ａの内部には、流通経路３５ｂが形成されている。
【００３１】
図２に示すように、押スイッチ１８が押し操作されておらず突出状態にあるときには、弁体３５ａも押し上げられた状態であり、弁体３５ａの内部に形成された流通経路３５ｂはフィルタ部２５と導通していない。
【００３２】
一方、押スイッチ１８が押し操作されて所定の位置まで押し下げられると、弁体３５ａも一体的に押し下げられ、弁体３５ａの内部に形成された流通経路３５ｂが液貯留部４０とフィルタ部２５とを導通させる。これにより、液貯留部４０からフィルタ部２５へと泡生成用液Ｌが流通可能な状態となる。
【００３３】
このように、押スイッチ１８に連動して液だれ防止弁３５が流路を開閉することで、空気供給部２０が作動を開始すると同時に液だれ防止弁３５が開かれる。また、空気供給部２０が作動を停止すると同時に液だれ防止弁３５が閉じられ、先端開口１３ａからの泡生成用液Ｌの液だれを防止することができる。
【００３４】
ノーズ部１３は、図２に示すように、フィルタ部２５の下流側に連通して設けられている。このため、フィルタ部２５によって生成された泡はノーズ部１３へと送られ、ノーズ部１３の先端に開口形成された先端開口１３ａから外部へ排出されるようになっている。
【００３５】
液貯留部４０は、泡生成用液Ｌを貯留するためのボトル状の部材である。本実施形態においては、図１等に示すように、胴体部１２の後部に取り付けられている。この液貯留部４０は、図５に示すように、ペン型玩具１０の本体１１に着脱可能となっており、本体１１との接続面に第１連結部４１と第２連結部４２とが突出形成されている。この第１連結部４１及び第２連結部４２は、それぞれ流体を流通可能な流通経路を形成している。この流通経路は、液貯留部４０の内部と連通しており、図２に示すように、液貯留部４０の内部において開口している。これにより、第１連結部４１の流通経路は、液貯留部４０の内部に空気流入口（図示せず）を形成している。また、第２連結部４２の流通経路は、液貯留部４０の内部に液送出口４２ａを形成している。これら空気流入口及び液送出口４２ａは、液貯留部４０の内壁面４０ａに開口している。
【００３６】
なお、空気流入口及び液送出口４２ａが開口する液貯留部４０の内壁面４０ａは、図２に示すように、ペン型玩具１０の長手方向（図２における左右方向）に対して傾斜して形成されている。このように形成することで、図４に示すように、ペン型玩具１０をペンのように持ったときに内壁面４０ａが水平に近づくようになっている。言い換えると、内壁面４０ａが液貯留部４０の下面を形成するような位置関係となるため、泡生成用液Ｌが残り少ない場合でも、この残り少ない泡生成用液Ｌが内壁面４０ａ側に流れるようになっている。泡生成用液Ｌが内壁面４０ａ側に流れることで、泡生成用液Ｌを無駄なく液送出口４２ａに送り込むことができる。
【００３７】
なお、液貯留部４０を本体１１に取り付けるときには、第１連結部４１と第２連結部４２とを、本体１１の第１接続部１１ａ及び第２接続部１１ｂに挿し込む。このとき、第１接続部１１ａは、第１パイプ２７と連通している。このため、第１接続部１１ａに第１連結部４１を挿し込むことで、空気流入口が第１パイプ２７に連通し、液貯留部４０の内部と第１パイプ２７とが連通する。また、第２接続部１１ｂは、第２パイプ２８と連通している。このため、第２接続部１１ｂに第２連結部４２を挿し込むことで、液送出口４２ａが第２パイプ２８に連通し、液貯留部４０の内部と第２パイプ２８とが連通する。
【００３８】
このような構成によれば、ペン型玩具１０をペンのように持って人差し指で押スイッチ１８を押すと、図３に示すように、空気供給部２０が作動してフィルタ部２５及び液貯留部４０に空気が供給される。液貯留部４０に空気が供給されると、液貯留部４０内の圧力が高まり、液貯留部４０内の泡生成用液Ｌが液送出口４２ａへと送り出される。この泡生成用液Ｌは第２パイプ２８を通ってフィルタ部２５に供給される。このようにフィルタ部２５に空気と泡生成用液Ｌとが供給されると、空気と泡生成用液Ｌとが混合されて泡が生成される。生成された泡はノーズ部１３を通過して先端開口１３ａから外部へと排出される。押スイッチ１８を操作している間は泡が出続けるので、泡を使用して絵や造形を楽しむことができる。
【００３９】
なお、液貯留部４０に貯留された泡生成用液Ｌを使いきったときには、液貯留部４０を本体１１から取り外して泡生成用液Ｌを補充すればよい。例えば、図６に示すような充填用ボトル６０を使用して、第１連結部４１又は第２連結部４２から泡生成用液Ｌを補充すればよい。
【００４０】
また、複数の液貯留部４０を使用して、それぞれに色の違う泡生成用液Ｌを充填しておいてもよい。このようにすれば、液貯留部４０を付け替えて使用することで、様々な色の泡を生成することができるので、絵や造形のバリエーションを増やすことができる。
【００４１】
なお、先端開口１３ａにアタッチメントを取り付け可能とし、アタッチメントを交換することで様々なデザインの泡を生成できるようにしてもよい。
【００４２】
例えば、図７（ａ）に示すような、ノズル型アタッチメント５０を使用してもよい。このノズル型アタッチメント５０は、取付部５１をノーズ部１３に嵌め込むことでノーズ部１３に着脱可能となっている。ノズル型アタッチメント５０は、先細り形状となっており、先端に泡を排出する泡吹出口が形成されている。このノズル型アタッチメント５０を使用すれば、泡で線などの繊細な描画を行うことができる。
【００４３】
また、図７（ｂ）に示すような、スタンプ型アタッチメント５２を使用してもよい。このスタンプ型アタッチメント５２は、取付部５５をノーズ部１３に嵌め込むことでノーズ部１３に着脱可能となっている。スタンプ型アタッチメント５２は、先端側が花状に拡開しており、図８及び図９に示すように、複数の突出部５３が先端方向に向けて突出形成されている。この複数の突出部５３の先端には、それぞれ先端開口１３ａに連通する泡吹出口５３ａが設けられている。このように形成することで、押スイッチ１８を操作すると複数の泡吹出口５３ａから同時に泡が排出されるようになっている。複数の泡吹出口５３ａから同時に泡が排出されると、スタンプ状に泡を排出することができる。例えば、図９（ａ）に示すように泡吹出口５３ａを配置したスタンプ型アタッチメント５２を使用すると、図１０（ａ）に示すような図柄の泡を簡単に作ることができる。また、図９（ｂ）に示すように泡吹出口５３ａを配置したスタンプ型アタッチメント５２を使用すると、図１０（ｂ）に示すような図柄の泡を簡単に作ることができる。また、図９（ｃ）に示すように泡吹出口５３ａを配置したスタンプ型アタッチメント５２を使用すると、図１０（ｃ）に示すような図柄の泡を簡単に作ることができる。また、図９（ｄ）に示すように泡吹出口５３ａを配置したスタンプ型アタッチメント５２を使用すると、図１０（ｄ）に示すような図柄の泡を簡単に作ることができる。
【００４４】
なお、この複数の泡吹出口５３ａの周囲には、図８に示すように周状突起５４が突出形成されている。この周状突起５４は、突出部５３よりも先端側に突出している。このため、泡を吐出する平坦面に周状突起５４を突き当てたときに、この平坦面と突出部５３との間に隙間が形成されるようになっている。この隙間を利用して泡が吐出されるので、泡が潰れることなく所望の形状となる。
【００４５】
ところで、泡吹出口５３ａの形状は、円形であってもよいし、図９（ｂ）に示すような線形を使用してもよい。また、泡の形状を整えるために、図９（ｄ）に示すようなストッパ５６を設けてもよい。ストッパ５６は、周状突起５４と同じ位置まで突出して形成されており、泡を吐出する平坦面に周状突起５４を突き当てたときに平坦面に接触するようになっている。このように平坦面に接触することで、泡が外側に流れることを阻止し、泡の形状を整えることができる。
【００４６】
以上説明したように、本実施形態によれば、押スイッチ１８が操作されると、フィルタ部２５に空気と泡生成用液Ｌとが供給され、空気と泡生成用液Ｌとがフィルタ部２５を通過することで混合されて泡が生成され、先端開口１３ａから泡が排出されるようにした。このような構成によれば、泡生成用液Ｌを貯留している液貯留部４０において泡を生成するわけではないので、液貯留部４０の容積を大きくする必要がない。よって、小型で取り回しに優れた玩具とすることができる。しかも、玩具をペン型にしたので、指先を使用した細かな描画も可能となり、絵や造形を自由に楽しむことができる。
【００４７】
また、空気と泡生成用液Ｌとをフィルタ部２５で混合させて泡を生成しているので、フィルタによってきめの細かい泡を生成することができる。きめの細かい泡を生成することで、泡が潰れにくくなり、絵や造形を十分に楽しむことができる。
【００４８】
また、液貯留部４０は、ペン型玩具１０の本体１１に着脱可能である。このような構成によれば、泡生成用液Ｌがなくなっても容易に補給することができ、連続使用が可能となる。また、異なる色を付けた泡生成用液Ｌをそれぞれ異なる液貯留部４０に充填し、これらの液貯留部４０を付け替えながら使用するようにすれば、様々な色の泡を組み合わせて絵や造形を楽しむことができる。このように泡の色を変化させれば、絵や造形のバリエーションが増えるので、ペン型玩具１０の楽しさが倍増する。
【００４９】
また、液貯留部４０の内部には、第２パイプ２８と連通する液送出口４２ａが開口しており、液送出口４２ａが開口する液貯留部４０の内壁面４０ａは、ペン型玩具１０の長手方向に対して傾斜している。このような構成によれば、斜めにペン型玩具１０を持ったときに、内壁面４０ａが液貯留部４０の下面を形成するような位置関係となる。このため、泡生成用液Ｌが残り少ない場合でも、この残り少ない泡生成用液Ｌが重力によって内壁面４０ａ側に流れる。泡生成用液Ｌが内壁面４０ａ側に流れることで、泡生成用液Ｌを無駄なく液送出口４２ａに送り込むことができる。
【００５０】
また、先端開口１３ａにスタンプ型アタッチメント５２を取り付け可能とし、スタンプ型アタッチメント５２は、先端開口１３ａに連通する複数の泡吹出口５３ａを備える。このような構成によれば、泡を生成したときに複数の泡吹出口５３ａから同時に泡が排出される。複数の泡吹出口５３ａを図柄の形に配置すれば、これら複数の泡吹出口５３ａから同時に排出された泡で容易に図柄を描くことができる。例えば、泡でスタンプを押すような遊び方が可能となる。
【００５１】
また、第２パイプ２８を流れる泡生成用液Ｌの量を調整するための調整バルブ３０を設けた。このような構成によれば、泡生成用液Ｌの量を調整することで、泡の細かさを調整することができる。
【符号の説明】
【００５２】
１０  ペン型玩具
１１  本体
１１ａ  第１接続部
１１ｂ  第２接続部
１２  胴体部
１３  ノーズ部
１３ａ  先端開口
１８  押スイッチ
２０  空気供給部
２１  モータ
２２  コンプレッサ
２５  フィルタ部
２５ａ  多層メッシュ
２６  電池
２７  第１パイプ
２８  第２パイプ
２９  第３パイプ
３０  調整バルブ
３１  操作部
３５  液だれ防止弁
３５ａ  弁体
３５ｂ  流通経路
４０  液貯留部
４０ａ  内壁面
４１  第１連結部
４２  第２連結部
４２ａ  液送出口
５０  ノズル型アタッチメント
５１  取付部
５２  スタンプ型アタッチメント
５３  突出部
５３ａ  泡吹出口
５４  周状突起
５５  取付部
５６  ストッパ
６０  充填用ボトル
Ｌ  泡生成用液
【図１】
0006579963.tif 000002
【図２】
0006579963.tif 000003
【図３】
0006579963.tif 000004
【図４】
0006579963.tif 000005
【図５】
0006579963.tif 000006
【図６】
0006579963.tif 000007
【図７】
0006579963.tif 000008
【図８】
0006579963.tif 000009
【図９】
0006579963.tif 000010
【図１０】
0006579963.tif 000011